(57)【特許請求の範囲】
【請求項１】
記録トラック間のランド部に少なくともアドレス情報を含んで周期的に配置されるランドプリピットを有する光ディスクに対して記録信号に基づいて出力を制御されたレーザビームを照射して前記記録トラックに沿った一連のピット列を形成する光ディスク記録方法において、
前記ランドプリピットに隣接して形成され、かつ再生信号の振幅値がアイパターンの最大値よりも小さい記録ピットに対するレーザビームの記録出力の強度を、前記ランドプレピットに隣接しない位置に形成される記録ピットに対するレーザビームの記録出力の強度よりも高い強度に制御する
ことを特徴とする光ディスク記録方法。
【請求項２】
記録トラック間のランド部に少なくともアドレス情報を含んで周期的に配置されるランドプリピットを有する光ディスクに対して記録信号に基づいて出力を制御されたレーザビームを照射して前記記録トラックに沿った一連のピット列を形成する光ディスク記録方法において、
前記ランドプリピットに隣接して形成され、かつ前記レーザビームのスポット内に納まる長さを有する記録ピットに対するレーザビームの記録出力の強度を、前記ランドプレピットに隣接しない位置に形成される記録ピットに対するレーザビームの記録出力の強度よりも高い強度に制御する
ことを特徴とする光ディスク記録方法。
【請求項３】
前記レーザビームの記録出力の強度を、前記記録信号のパルス幅の計測値および前記ランドプレピットに基づき検出される周期信号に基づき制御することを特徴とする請求項１又は２記載の光ディスク記録方法。
【請求項４】
前記レーザビームの記録出力の強度が制御される記録ピットは、３Ｔあるいは４Ｔのピット長を有することを特徴とする請求項１乃至３のいずれかに記載の光ディスク記録方法。
【請求項５】
記録トラック間のランド部に少なくともアドレス情報を含んで周期的に配置されるランドプリピットを有する光ディスクに対して記録信号に基づいて出力を制御されたレーザビームを照射して前記記録トラックに沿った一連のピット列を形成する光ディスク記録装置において、
前記ランドプリピットに隣接して形成され、かつ再生信号の振幅値がアイパターンの最大値よりも小さい記録ピットに対応する記録信号を検出する記録信号検出手段と、
前記特定信号検出手段により検出された記録信号に対応するレーザビームの記録出力の強度を、前記ランドプレピットに隣接しない位置に形成される記録ピットに対応する記録信号に基づくレーザビームの記録出力の強度よりも高い強度に制御する出力制御手段と
を具備することを特徴とする光ディスク記録装置。
【請求項６】
記録トラック間のランド部に少なくともアドレス情報を含んで周期的に配置されるランドプリピットを有する光ディスクに対して記録信号に基づいて出力を制御されたレーザビームを照射して前記記録トラックに沿った一連のピット列を形成する光ディスク記録装置において、
前記ランドプリピットに隣接して形成され、かつ前記レーザビームのスポット内に納まる長さを有する記録ピットに対応する前記記録信号を検出する記録信号検出手段と、
前記特定信号検出手段により検出された記録信号に対応する前記レーザビームの記録出力の強度を、前記ランドプレピットに隣接しない位置に形成される前記記録ピットに対応する記録信号に基づく前記レーザビームの記録出力の強度よりも高い強度に制御する出力制御手段と
を具備することを特徴とする光ディスク記録装置。
【発明の詳細な説明】
【０００１】
【発明の属する技術分野】
この発明は、光ディスク記録方法および装置に関し、特に、ＬＰＰ信号のＲＦ信号へのもれ込みによる再生信号の劣化を防止する光ディスク記録方法および装置に関する。
【０００２】
【従来の技術】
一般に、ＤＶＤ−Ｒ（Digital Versatile Disc - Recordable）のディスクは、透明樹脂基板上に、記録層（色素膜）、反射層（金属膜）、保護層等の各層がスパッタリングにより成膜され、多層構造を有して構成されている。
【０００３】
透明樹脂基板の表面には、グルーブと呼ばれるレーザビームの案内溝が形成され、ここに記録信号に基づくピット（記録ピット）が形成されてデータの記録が行われる。また、溝と溝の間の領域をランドといい、このランドには、アドレス情報等を含むピット（ＬＰＰ：Land Pre-Pit）が所定の周期に従って配置さ
れている。このＬＰＰは、記録時に必要な各種情報の取得や、高精度な記録位置制御に用いられる。
【０００４】
さて、通常、レーザビームがＤＶＤ−Ｒの記録面に形成するビームスポットのスポット径は、グルーブ幅よりも大きいため、グルーブの隣接ランドにもビームスポットの一部が漏れ込む。これにより、ＤＶＤ−Ｒを照射するレーザビームの反射光には、グルーブからの情報成分（ＲＦ信号）と、グルーブの隣接ランドに形成されたＬＰＰからの情報成分（ＬＰＰ信号）とが含まれる。
【０００５】
そこで、光ディスクに照射したレーザビームの反射光を、少なくともグルーブの接線方向と光学的に平行な分割線で２分割された受光素子で受光し、この受光素子の各領域からの出力信号のグルーブに垂直な方向の差分を演算し、この差分信号（プッシュプル信号）を所定の閾値により２値化することにより、ＬＰＰ信号を検出し、また、受光素子の各領域からの出力信号の総和によりＲＦ信号を検出する。
【０００６】
【発明が解決しようとする課題】
ところで、ＬＰＰのほぼ真横に記録ピットが存在する場合、ＬＰＰ信号に対してＲＦ信号が雑音として作用するため、ＬＰＰ信号の振幅が減少してＬＰＰ信号を高精度で検出することが困難となる場合がある。
【０００７】
また、逆に、ＲＦ信号に対してＬＰＰ信号が雑音として作用し、ユーザにより記録されたグルーブ上のデータを高精度に再生することが困難となる場合がある。
【０００８】
ＲＦ信号は、３Ｔから１４Ｔまでの種々のピット長を有しているが、ピット長が短くなるほどＬＰＰ信号が雑音として作用した場合の振幅変化の割合が大きくなり、その雑音による影響を受けやすい。
【０００９】
そこで、ＬＰＰ信号、ＲＦ信号を精度よく検出するため、ディスクや読み取り装置における対策が種々にとられている。
【００１０】
しかしながら、記録装置における対策はとられておらず、記録装置においてもＬＰＰ信号およびＲＦ信号の安定性を考慮した対策をとることで、より一層ＬＰＰ信号およびＲＦ信号検出の安定性を高めることが可能となる。
【００１１】
そこで、この発明は、記録装置における記録ストラテジによって上記の問題を解決することを目的とする。
【００１２】
【課題を解決するための手段】
この発明の光ディスク記録方法は、記録トラック間のランド部に少なくともアドレス情報を含んで周期的に配置されるランドプリピットを有する光ディスクに対して記録信号に基づいて出力を制御されたレーザビームを照射して前記記録トラックに沿った一連のピット列を形成する光ディスク記録方法において、前記ランドプリピットに隣接して形成され、かつ再生信号の振幅値がアイパターンの最大値よりも小さい若しくは前記レーザビームのスポット内に納まる長さを有する記録ピットに対するレーザビームの記録出力の強度を、前記ランドプレピットに隣接しない位置に形成される記録ピットに対するレーザビームの記録出力の強度より高い強度に制御することを特徴とする。
【００１３】
また、この発明の光ディスク記録装置は、記録トラック間のランド部に少なくともアドレス情報を含んで周期的に配置されるランドプリピットを有する光ディスクに対して記録信号に基づいて出力を制御されたレーザビームを照射して前記記録トラックに沿った一連のピット列を形成する光ディスク記録装置において、前記ランドプリピットに隣接して形成され、かつ再生信号の振幅値がアイパターンの最大値よりも小さい若しくは前記レーザビームのスポット内に納まる長さを有する記録ピットに対応する記録信号を検出する記録信号検出手段と、前記特定信号検出手段により検出された記録信号に対応するレーザビームの記録出力の強度を、前記ランドプレピットに隣接しない位置に形成される記録ピットに対応する記録信号に基づくレーザビームの記録出力の強度より高い強度に制御する出力制御手段とを具備することを特徴とする。
【００１４】
【発明の実施の形態】
以下、この発明に係わる光ディスク記録装置および光ディスク記録方法の実施の形態を添付図面を参照して詳細に説明する。
【００１５】
図１は、この発明に係わる光ディスク記録装置および光ディスク記録方法の基本原理を説明する図である。
【００１６】
図１において、図１（ａ）は光ディスク表面の一部を拡大した図で、ａ１およびａ２は、光ディスク表面のランドＬ１上に予め形成されているランドプリピット（ＬＰＰ）であり、ｂ１およびｂ２は、記録データに基づいたレーザビームの照射によりグルーブＧ２上に形成される記録ピットである。また、ｓはレーザビームのスポットを示し、そのスポット径（１／ｅ２）は０．８〜０．９μｍである。
【００１７】
このような光ディスクにレーザビームを走査させて得られる信号波形を、図１（ｂ）および図１（ｃ）に示す。
【００１８】
ここで、図１（ｃ）は、グルーブＧ２上に形成された記録ピット列ｂ１、ｂ２から得られる信号（ＲＦ信号）の波形であり、図１（ｂ）は、グルーブＧ２の隣接ランドＬ１上に形成されたランドプリピット列ａ１、ａ２から得られる信号（ＬＰＰ信号）の波形である。
【００１９】
さて、図１（ａ）に示すように、ＬＰＰａ２に隣接して記録ピットｂ２が形成された場合、図１（ｂ）および（ｃ）に示すように、信号読み取り時に、ＬＰＰ信号に対してＲＦ信号が雑音として作用してＬＰＰ信号の振幅が減少し、一方、ＲＦ信号に対してＬＰＰ信号が雑音として作用してＲＦ信号の振幅が減少する。
【００２０】
特に、ＲＦ信号は、振幅減少により、例えば４Ｔピットに対応する波形が３Ｔピットに対応する波形と区別がつかなくなり、再生信号に誤りを生じる等の問題を引き起こす。このＬＰＰ信号の影響によるＲＦ信号の振幅減少は、アイパターンの最大値よりも振幅値の小さい記録ピット（ＤＶＤにおいては３Ｔ、４Ｔピット）あるいはレーザビームのスポット内に納まる長さを有する記録ピット（ＤＶＤにおいては３Ｔ〜６Ｔ）に顕著に現れる。
【００２１】
これは、前述したように、ＲＦ信号は、ピット長が短くなるほどＬＰＰ信号が雑音として作用した場合の振幅変化の割合が大きくなることに起因しており、特に３Ｔあるいは４Ｔの記録ピットは、その大きさが約０．４μｍ〜０．５μｍ程度となっており、約０．２μｍ〜０．３μｍ程度で形成されるＬＰＰの大きさに近いため、互いに隣接した場合にはレーザビームが両ピットを覆うようなスポットで照射され、この結果、回折に偏りが生じ、ＲＦ信号の振幅量が低下してしまい、ピットの読取りエラーを招きやすい。
【００２２】
そこで、この発明は、図１（ｄ）に示すように、ＬＰＰのに隣接してアイパターンの最大値よりも振幅値の小さい記録ピットあるいはレーザビームのスポット内に納まるような長さを有する記録ピットを形成する場合に、当該記録ピット、例えば３Ｔピットを形成するレーザビームの強度を、ＬＰＰに隣接しないときの３Ｔピットを形成するレーザビームの強度（Ｈ１）よりも、ＬＰＰ信号が雑音として作用することを考慮した分だけ強い強度（Ｈ２）に設定することを特徴とする。
【００２３】
これにより、ＬＰＰに隣接して形成されかつアイパターンの最大値よりも振幅値の小さい記録ピットあるいはレーザビームのスポット内に納まるような長さを有する記録ピットは、通常よりも大きめに形成され、その再生信号はＬＰＰ信号が雑音として作用することによる振幅減少の結果に適正な振幅値となる。
【００２４】
なお、上述した例は、記録ピットがＬＰＰに隣接する場合にレーザビームの強度を異ならせるようにしたものであるが、これに限らず、記録ピットがＬＰＰに隣接する場合にその記録ピットに対応したパルス幅を異ならせるようにしてもよい。
【００２５】
この場合には、図１（ｅ）に示すように、ＬＰＰに隣接する記録ピット、例えば３Ｔピットに対応したパルス幅Ｗ２を、ＬＰＰに隣接しないときの３Ｔピットのパルス幅Ｗ１に比べて広く設定しておく。
【００２６】
このようにしても、通常記録される３ＴピットよりもＬＰＰに隣接する３Ｔピットが大きめに形成され、その再生信号はＬＰＰ信号が雑音として作用することによる振幅減少の結果に適正な振幅値となる。
【００２７】
また、ディスクの設計によっては、ＬＰＰのみが形成されたランド・グルーブ間をレーザビームが照射したときに、図１（ｃ）に示すようにＲＦ信号の波形に読取りエラーを生じない程度の振幅が生じるものがある。
【００２８】
このような場合には、逆にＬＰＰに隣接する記録ピットのレーザビーム強度低く制御するのが好ましい。
【００２９】
図２は、この発明に係わる光ディスク記録装置の一実施の形態を示すブロック図である。
【００３０】
図２において、光ディスク記録装置は、記録基準クロック（ＣＫ）発生回路１９、エンコーダ１１、パルス幅計測回路、遅延回路１２、光ディスク３０に対してレーザビームの照射を行う光ピックアップ１８、光ピックアップ１８が具備する図示しないレーザダイオード（ＬＤ）を駆動するＬＤドライバ１７、光ピックアップ１８から出力される受光信号からＬＰＰ信号を検出するＬＰＰ信号検出回路、ＬＰＰ信号検出回路で検出されるＬＰＰ信号に基づいてＬＰＰ周期信号を生成するＬＰＰ周期信号生成回路１６、特定パルス検出回路１４、記録すべき信号に基づいて記録パルスを生成する記録ストラテジ回路２０を少なくとも具備して構成される。
【００３１】
図３は、図２に示した光ディスク記録装置の各部が出力する信号の波形を示す図である。
【００３２】
図３において、（ａ）の信号は、エンコーダ１１において記録データを８／１６変調して出力される記録信号、（ｂ）の信号は、遅延回路１２からＬＤドライバ１７に入力されるレーザ出力制御信号、（ｃ）の信号は、パルス幅計測回路１３において３Ｔパルスおよび４Ｔパルスが検出されたときに出力される特定幅パルス検出信号、（ｄ）の信号は、ＬＰＰ周期信号生成部においてＬＰＰ信号検出回路で検出されたＬＰＰ信号に基づいて生成されるＬＰＰ周期信号、（ｅ）の信号は、特定パルス検出回路１４において特定幅パルス検出信号（ｃ）とＬＰＰ周期信号（ｄ）とに基づいて生成される特定パルス検出信号、（ｆ）の信号は、レーザ出力制御信号（ｂ）および特定パルス検出信号（ｅ）に基づいて記録ストラテジ回路２０において生成されるレーザ駆動信号の波形の一例を示したものである。
【００３３】
記録基準クロック１９は、図２に示す光情報記録装置における各部の同期をとるためのクロック信号（ＣＫ）を出力する。
【００３４】
エンコーダ１１は、入力された記録データを符号化した後、この記録データを８／１６変調して記録信号（ａ）として出力する。
【００３５】
エンコーダ１１から出力された記録信号（ａ）は、遅延回路１２で所定の時間ΔＴだけ遅延され、レーザビームの出力を２段階に制御するレーザ出力制御信号（ｂ）が生成される。
【００３６】
パルス幅計測回路１３は、入力された記録信号（ａ）のパルス幅を計測して、記録信号（ａ）からＬＰＰのに隣接してアイパターンの最大値よりも振幅値の小さい記録ピット、すなわち３Ｔ幅若しくは４Ｔ幅のパルスを検出する機能を有し、記録信号（ａ）から３Ｔ幅若しくは４Ｔ幅のパルスを検出すると、特定幅パルス検出信号（ｃ）を出力する。
【００３７】
ＬＰＰ周期信号生成回路１６は、ＬＰＰ信号検出部１５において読み取り信号から抽出されたＬＰＰ信号の検出周期を示すＬＰＰ周期信号（ｄ）を生成する。
【００３８】
特定パルス検出回路１４は、パルス幅計測回路１３から出力される特定幅パルス検出信号（ｃ）、およびＬＰＰ周期信号生成回路１６から出力されるＬＰＰ周期信号（ｄ）に基づいて、記録信号（ａ）からＬＰＰの真横に形成される記録ピットに対応するパルスを検出し、特定パルス検出信号を出力する。
【００３９】
記録ストラテジ回路２０は、遅延回路１２で生成されたレーザ出力制御信号および特定パルス検出回路で生成された特定パルス検出信号により、記録すべき信号に基づいて記録パルスを出力する。
【００４０】
ここで、記録ストラテジ回路２０は、特定パルス検出回路１４からの特定パルス検出信号が入力されたときには、この検出信号と同期して入力される記録パルス信号のパルスに対応する強度（高さ）を、Ｈ１よりもさらに強いＨ２で出力する（図３（ｆ）参照）。
【００４１】
ＬＤドライバ１７は、レーザビームの出力を少なくとも３値に制御できるように構成されており、記録ストラテジ回路２０から出力された記録パルス信号に基づいて光ピックアップ１８が具備する図示しないレーザダイオードを駆動し、光ディスク２０に照射するレーザビームの出力強度をＨ１、Ｌの２段階に制御するとともに、特定パルス検出回路１４からの特定パルス検出信号の出力に対応して記録ストラテジ回路２０から強度Ｈ２の記録パルスが入力されたときには、このパルスに対応するレーザビームを、通常の強度Ｈ１よりもさらに強い強度Ｈ２で出力する。
【００４２】
なお、上記実施の形態においては、パルス幅計測回路１３で、アイパターンの最大値よりも振幅値の小さい記録ピット、すなわち３Ｔ幅若しくは４Ｔ幅のパルスを検出したときに特定幅パルス検出信号（ｃ）を出力するように構成したが、レーザビームのスポット内に納まる長さを有する記録ピット（ＤＶＤにおいては３Ｔ〜６Ｔ）のパルスを検出したときに特定幅パルス検出信号（ｃ）を出力するように構成してもよい。
【００４３】
また、記録ストラテジ回路２０では、特定パルス検出回路１４からの特定パルス検出信号が入力されたときに、この検出信号と同期して入力される記録パルス信号のパルスに対応する強度（高さ）を、Ｈ１よりもさらに強いＨ２で出力するようにしてＬＰＰに隣接する記録ピットのレーザビーム強度を高く制御するように構成したが、ディスクの設計によって、ＬＰＰのみが形成されたランド・グルーブ間をレーザビームが照射したときにＲＦ信号の波形に読取りエラーを生じない程度の振幅が生じる場合には、逆にＬＰＰに隣接する記録ピットのレーザビーム強度を低く制御してもよい。
【００４４】
なお、上記実施の形態においては、記録ピットがＬＰＰに隣接する場合にその記録ピットに対応したパルス強度を異ならせるように構成したが、記録ピットがＬＰＰに隣接する場合にその記録ピットに対応したパルス幅を異ならせるようにしてもよい。
【００４５】
図４は、このように構成したこの発明に係わる光ディスク記録装置の他の実施の形態を示すブロック図である。
【００４６】
なお、図４において、図２に示した光ディスク記録装置と同様の機能を果たす部分には図２で用いた符号と同一の符号を付して重複する説明を省略する。
【００４７】
図４に示す光ディスク記録装置は、記録ストラテジ回路２１が、特定パルス検出回路１４からの特定パルス検出信号が入力されたときに、この検出信号と同期して入力される記録パルス信号のパルスに対応するパルス幅Ｗ１をパルス幅Ｗ２に広げて出力するように構成しており、その他の構成は、図２に示した光ディスク記録装置と同様である。
【００４８】
また、図５は、図４に示した光ディスク記録装置の各部が出力する信号の波形を示す図であり、図５において、（ａ）の信号は、エンコーダ１１において記録データを８／１６変調して出力される記録信号、（ｂ）の信号は、遅延回路１２からＬＤドライバ１７に入力されるレーザ出力制御信号、（ｃ）の信号は、パルス幅計測回路１３において３Ｔパルスおよび４Ｔパルスが検出されたときに出力される特定幅パルス検出信号、（ｄ）の信号は、ＬＰＰ周期信号生成部においてＬＰＰ信号検出回路で検出されたＬＰＰ信号に基づいて生成されるＬＰＰ周期信号、（ｅ）の信号は、特定パルス検出回路１４において特定幅パルス検出信号（ｃ）とＬＰＰ周期信号（ｄ）とに基づいて生成される特定パルス検出信号、（ｆ）の信号は、レーザ出力制御信号（ｂ）および特定パルス検出信号（ｅ）に基づいて記録ストラテジ回路２１において生成されるレーザ駆動信号の波形の一例を示す。
【００４９】
図５（ｆ）に示すように、記録ストラテジ回路２１は、特定パルス検出回路１４からの特定パルス検出信号が入力されたときには、この検出信号と同期して入力される記録パルス信号のパルスに対応するパルス幅Ｗ１を、パルス幅Ｗ１よりもさらに広いパルス幅Ｗ２で出力する。
【００５０】
この結果、ＬＤドライバ１７では、特定パルス検出回路１４からの特定パルス検出信号の出力に対応して記録ストラテジ回路２０からパルス幅Ｗ２の記録パルスが入力されたときには、このパルスに対応するレーザビームを、通常のパルス幅Ｗ１よりもさらに広いパルス幅Ｗ２で出力する。
【００５１】
なお、上記実施の形態においては、パルス幅計測回路１３で、アイパターンの最大値よりも振幅値の小さい記録ピット、すなわち３Ｔ幅若しくは４Ｔ幅のパルスを検出したときに特定幅パルス検出信号（ｃ）を出力するように構成したが、レーザビームのスポット内に納まる長さを有する記録ピット（ＤＶＤにおいては３Ｔ〜６Ｔ）のパルスを検出したときに特定幅パルス検出信号（ｃ）を出力するように構成してもよい。
【００５２】
また、記録ストラテジ回路２１では、特定パルス検出回路１４からの特定パルス検出信号が入力されたときに、この検出信号と同期して入力される記録パルス信号のパルスのパルス幅をＷ１からさらに広いＷ２で出力するようにしてＬＰＰに隣接する記録ピットのレーザビームのパルス幅を広く制御するように構成したが、ディスクの設計によって、ＬＰＰのみが形成されたランド・グルーブ間をレーザビームが照射したときにＲＦ信号の波形に読取りエラーを生じない程度の振幅が生じる場合には、逆にＬＰＰに隣接する記録ピットのレーザビームのパルス幅を狭く制御してもよい。
【００５３】
なお、上記の記録装置は、この発明の光ディスク記録方法を実現するための一形態に過ぎず、本願発明は、上記実施の形態に限定されるものではない。
【００５４】
【発明の効果】
以上説明したように、この発明によれば、ＬＰＰに隣接して振幅変動の大きい記録ピットを形成する場合に、当該ピットを形成するレーザビームの記録出力の強度を、ＬＰＰに隣接しない位置に記録ピットを形成するレーザビームの記録出力の強度より高い強度に制御するようにしたので、ＬＰＰ信号が雑音として作用することを前提とした記録ピットの形成が可能になり、その結果、ＬＰＰ信号がＲＦ信号に漏れ込むことによる再生信号の誤りを低減することができるという効果を奏する。
【図面の簡単な説明】
【図１】この発明に係わる光ディスク記録装置および光ディスク記録方法の基本原理を説明する図である。
【図２】この発明に係わる光ディスク記録装置の一実施の形態を示すブロック図である。
【図３】図２に示した光ディスク記録装置の各部が出力する信号の波形を示す図である。
【図４】この発明に係わる光ディスク記録装置の他の一実施の形態を示すブロック図である。
【図５】図４に示した光ディスク記録装置の各部が出力する信号の波形を示す図である。
【符号の説明】
１１      エンコーダ
１２      遅延回路
１３      パルス幅計測回路
１４      特定パルス検出回路
１５      ＬＰＰ信号検出部
１６      ＬＰＰ周期信号生成回路
１７      ＬＤドライバ
１８      光ピックアップ
１９      記録基準クロック
２０      記録ストラテジ回路
２１      記録ストラテジ回路
３０      光ディスク
ａ１、ａ２    ランドプリピット（ＬＰＰ）
ｂ１、ｂ２    記録ピット
ｓ    レーザビームのスポット
Ｌ１、Ｌ２    ランド
Ｇ１、Ｇ２、Ｇ３    グルーブ
【図１】
0003969711.tif 000002
【図２】
0003969711.tif 000003
【図３】
0003969711.tif 000004
【図４】
0003969711.tif 000005
【図５】
0003969711.tif 000006